(57)【要約】      （修正有）【課題】サマータイムの施行によるオフセット時差が１時間等の固定時間でない場合にも正確な時刻を表示できる電波時計を提供する。【解決手段】電波時計１は、送信元の電波塔が配置される第１地域の標準時刻である第１時刻を少なくとも含む第１時刻情報を搬送する標準電波を受信する受信部１２と、第１時刻と協定世界時との時差である第１時差、第１時刻情報におけるサマータイムの施行による第１オフセット時差、第２地域の標準時刻である第２時刻と協定世界時との時差である第２時差、第２地域におけるサマータイムの施行による第２オフセット時差、を取得する取得部２５と、第１時刻、第１時差、及び、第１オフセット時差に基づいて協定世界時を演算し、且つ、演算された協定世界時、第２時差、及び、第２オフセット時差に基づいて第２時刻を演算する演算部２２と、演算された第２時刻を表示する表示部１４とを有する。【選択図】図４
2020056661.tif 000002
【特許請求の範囲】
【請求項１】
送信元の電波塔が配置される第１地域の標準時刻である第１時刻を少なくとも含む第１時刻情報を搬送する標準電波を受信する受信部と、
前記第１時刻と協定世界時との時差である第１時差、前記第１時刻情報におけるサマータイムの施行による第１オフセット時差、第２地域の標準時刻である第２時刻と協定世界時との時差である第２時差、前記第２地域におけるサマータイムの施行による第２オフセット時差、を取得する取得部と、
前記第１時刻、前記第１時差、及び、第１オフセット時差に基づいて前記協定世界時を演算し、且つ、演算された前記協定世界時、前記第２時差、及び、第２オフセット時差に基づいて前記第２時刻を演算する演算部と、
演算された前記第２時刻を表示する表示部と、
を有することを特徴とする電波時計。
【請求項２】
前記取得部は、更に、前記第１時刻情報においてサマータイムが施行中であるか否かを示す第１サマータイム施行情報、及び、前記第２地域においてサマータイムが施行中であるか否かを示す第２サマータイム施行情報を取得し、
前記演算部は、前記第１サマータイム施行情報、前記第１時刻、前記第１時差、及び、第１オフセット時差に基づいて前記協定世界時を演算し、且つ、演算された前記協定世界時、前記第２サマータイム施行情報、前記第２時差、及び、第２オフセット時差に基づいて前記第２時刻を演算する、請求項１に記載の電波時計。
【請求項３】
前記第１時刻情報は前記第１サマータイム施行情報を含み、
前記取得部は、前記受信部から前記第１サマータイム施行情報を取得する、請求項２に記載の電波時計。
【請求項４】
入力操作部を更に有し、
前記取得部は、前記入力操作部から前記第１オフセット時差を取得する、請求項１又は２に記載の電波時計。
【請求項５】
記憶部を更に有し、
前記取得部は、前記記憶部から前記第１オフセット時差及び前記第２オフセット時差を取得する、請求項１又は２に記載の電波時計。
【発明の詳細な説明】
【技術分野】
【０００１】
本発明は、電波時計に関する。
【背景技術】
【０００２】
電子時計において、タイマー機能及びアラーム機能等の各種機能で使用されるパラメータを、指針を利用して設定する技術が知られている。例えば、特許文献１には、秒針等の指針を第１の停止位置に停止させてサマータイムの施行による時差時間を設定し、該指針を第１の停止位置と異なる第２の停止位置に停止させて時差時間の設定を完了する電子時計が記載されている。特許文献１に記載される電子時計は、指針を第２の停止位置に停止させることによって、時差時間を設定が完了したことをユーザが認識することができる。
【０００３】
また、送信局から送信される標準電波に含まれる種々の基準時刻情報を利用して時差を修正する電波時計が知られている。例えば、特許文献２には、標準電波を送信した送信元の送信局が配置される領域、及び電波時計が標準電波を受信した領域のそれぞれの基準時刻との間の時差及びサマータイムによる時差を記憶する電波時計が記載されている。特許文献２に記載される電波時計は、記憶された情報に基づいて送信局が配置される領域と電波時計が受信した領域との時差を演算することで、タイムゾーンが異なる領域間の時差の修正とサマータイムによる時差の修正を一回の操作によって完了できる。
【先行技術文献】
【特許文献】
【０００４】
【特許文献１】特開２００６-２５８７４０号公報
【特許文献２】国際公開第２００４／０２３２２３号
【発明の概要】
【発明が解決しようとする課題】
【０００５】
しかしながら、特許文献２に記載される電波時計は、サマータイム期間による標準時刻のオフセット時差を１時間に固定してサマータイムの施行の前後での時差を修正するため、サマータイムの施行によるオフセット時差が１時間でない場合に正確な時刻が表示されない。また、表示時刻を正確な時刻に合わせるためにタイムゾーンの時差を本来と異なる値に設定するような変更をしてしまうと、受信した時刻からＵＴＣ時刻を正しく算出できず、都市切替機能やデュアルタイム機能として第二時間帯を表示するような時計では、時刻がずれてしまう。
【０００６】
そこで、本発明では、サマータイムの施行によるオフセット時差が１時間等の固定時間でない場合にも正確な時刻を表示できる電波時計を提供することを目的とする。
【課題を解決するための手段】
【０００７】
上記目的を達成するために、実施形態に係る電波時計は、送信元の電波塔が配置される第１地域の標準時刻である第１時刻を少なくとも含む第１時刻情報を搬送する標準電波を受信する受信部と、第１時刻と協定世界時（ＵＴＣ：Coordinated Universal Time）との時差である第１時差、第１時刻情報におけるサマータイムの施行による第１オフセット時差、第２地域の標準時刻である第２時刻と協定世界時との時差である第２時差、第２地域におけるサマータイムの施行による第２オフセット時差、を取得する取得部と、第１時刻、第１時差、及び、第１オフセット時差に基づいて協定世界時を演算し、且つ、演算された協定世界時、第２時差、及び、第２オフセット時差に基づいて第２時刻を演算する演算部と、演算された第２時刻を表示する表示部とを有する。
【０００８】
さらに、実施形態に係る電波時計では、取得部は、更に、第１時刻情報においてサマータイムが施行中であるか否かを示す第１サマータイム施行情報、及び、第２地域においてサマータイムが施行中であるか否かを示す第２サマータイム施行情報を取得し、演算部は、第１サマータイム施行情報、第１時刻、第１時差、及び、第１オフセット時差に基づいて協定世界時を演算し、且つ、演算された協定世界時、第２サマータイム施行情報、第２時差、及び、第２オフセット時差に基づいて第２時刻を演算することが好ましい。
【０００９】
さらに、実施形態に係る電波時計では、第１時刻情報は第１サマータイム施行情報を含み、取得部は、受信部から第１サマータイム施行情報を取得することが好ましい。
【００１０】
さらに、実施形態に係る電波時計は、入力操作部を更に有し、取得部は、入力操作部から第１オフセット時差を取得することが好ましい。
【００１１】
さらに、実施形態に係る電波時計は、記憶部を更に有し、取得部は、記憶部から第１オフセット時差及び第２オフセット時差を取得することが好ましい。
【発明の効果】
【００１２】
実施形態に係る電波時計は、サマータイムの施行によるオフセット時差が１時間等の固定時間でない場合にも正確な時刻を表示できる。
【図面の簡単な説明】
【００１３】
【図１】実施形態に係る電波塔からの標準電波を受信する電波時計を示す図である。
【図２】実施形態に係る電波時計の平面図である。
【図３】図２に示すサブダイアルの部分拡大図である。
【図４】図１に示す電波時計の機能ブロック図である。
【図５】日本の電波塔から放射される標準電波（ＪＪＹ）によって搬送される第１時刻情報のデータフォーマットを示す図である。
【図６】（ａ）はドイツの電波塔から放射される標準電波（ＤＣＦ）によって搬送される第１時刻情報のデータフォーマットを示す図であり、（ｂ）は米国の電波塔から放射される標準電波（ＷＷＶＢ）によって搬送される第１時刻情報のデータフォーマットを示す図である。
【図７】（ａ）は第１オフセット時差を設定する第１オフセット時差設定処理のフローチャートであり、（ｂ）は第２オフセット時差を設定する第２オフセット時差設定処理のフローチャートである。
【図８】（ａ）は第１オフセット時差設定処理におけるサブダイアルの第１表示状態を示す図であり、（ｂ）は第１オフセット時差設定処理におけるサブダイアルの第２表示状態を示す図であり、（ｃ）は第１オフセット時差設定処理におけるサブダイアルの第３表示状態を示す図であり、（ｄ）は第２オフセット時差設定処理におけるサブダイアルの第１表示状態を示す図であり、（ｅ）は第２オフセット時差設定処理におけるサブダイアルの第２表示状態を示す図である。
【図９】（ａ）は電波時計により指定される第２地域の時刻である第２時刻を演算する第２時刻演算処理のフローチャートであり、（ｂ）は第２時刻を演算する際のより詳細な処理を示すフローチャートである。
【図１０】送信元の電波塔がＤＣＦであり、電波時計により指定される第２地域がアテネである場合を例に第２時刻演算処理を説明するための図（その１）であり、電波塔（ＤＣＦ）及びアテネの双方でサマータイムが施行されていない場合を示す。
【図１１】送信元の電波塔がＤＣＦであり、電波時計により指定される第２地域がアテネである場合を例に第２時刻演算処理を説明するための図（その２）であり、電波塔（ＤＣＦ）及びアテネの双方でサマータイムが施行され、電波塔（ＤＣＦ）のサマータイムによるオフセット時差が１時間である場合を示す。）を示す。
【図１２】送信元の電波塔がＤＣＦであり、電波時計により指定される第２地域がアテネである場合を例に第２時刻演算処理を説明するための図（その３）であり、電波塔（ＤＣＦ）及びアテネの双方でサマータイムが施行され、電波塔（ＤＣＦ）のサマータイムによるオフセット時差が２時間である場合を示す。
【図１３】送信元の電波塔がＤＣＦであり、電波時計により指定される第２地域がアテネである場合を例に第２時刻演算処理を説明するための図（その４）であり、図１２の比較例として電子時計１における第１オフセット時差が従来の構成通り１時間に固定されている場合を示す。
【図１４】第１変形例に係る電波時計の機能ブロック図である。
【図１５】第２変形例に係る電波時計の平面図である。
【発明を実施するための形態】
【００１４】
以下、図面を参照しつつ、電波時計について説明する。ただし、実施形態は図面又は以下に記載される実施形態には限定されないことを理解されたい。
【００１５】
（実施形態に係る電波時計の概要）
実施形態に係る電波時計は、入力部を介して入力されたサマータイムの施行によるオフセット時差を使用して第２地域の時刻である第２時刻を演算するので、オフセット時差が固定時間でない場合にも第２時刻を正確に演算できる。
【００１６】
（実施形態に係る電波時計の構造及び機能）
図１は実施形態に係る電波塔からの標準電波を受信する電波時計を示す図であり、図２は実施形態に係る電波時計の平面図であり、図３は図２に示すサブダイアルの部分拡大図である。図４は、図１に示す電波時計の機能ブロック図である。
【００１７】
電波時計システム１００は、電波塔１０１からの標準電波を受信する電波時計１を有する。電波塔１０１は、原子時計１１０と、送信アンテナ１１１とを有し、電波塔１０１が配置される第１地域の標準時刻である第１時刻を少なくとも含む第１時刻情報を搬送する標準電波を送信する。
【００１８】
電波塔１０１は、第１地域である日本、米国、ドイツ及び中国等の各国内に配置されている。降の説明において、各国の電波塔１０１について、日本の電波塔を電波塔（ＪＪＹ）、米国の電波塔を電波塔（ＷＷＶＢ）、ドイツの電波塔を電波塔（ＤＣＦ）、及び中国の電波塔を電波塔（ＢＰＣ）と表記する。原子時計１１０は、電波塔１０１が配置される第１地域の標準時刻である第１時刻を高精度で計時し、計時した第１時刻を示す第１時刻情報を送信アンテナ１１１に送信する。送信アンテナ１１１は、原子時計１１０から受信した第１時刻情報を搬送する標準電波１１５を放射する。日本では、電波塔（ＪＪＹ）は福島県と佐賀県に配置されており、福島県から放射されている４０ｋＨｚの標準電波（ＪＪＹ４０）と、佐賀県から放射されている６０ｋＨｚの標準電波（ＪＪＹ６０）の２つの標準電波が放射されている。また、米国では、電波塔（ＷＷＶＢ）はコロラド州に配置されて標準電波（ＷＷＶＢ）が放射され、ドイツでは、電波塔（ＤＣＦ）はフランクフルトに配置され、標準電波（ＤＣＦ）が放射され、中国では、電波塔（ＢＰＣ）は河南省に配置され、標準電波（ＢＰＣ）が放射される。なお、米国の電波塔（ＷＷＶＢ）については、標準時刻（地域の時刻）ではなく、協定世界時（ＵＴＣ）が送信されている。
【００１９】
標準電波１１５の波長は数十ｋＨｚの長波であり、標準電波１１５は半径３０００ｋｍ程度の範囲に配置される電波時計１によって受信可能である。標準電波１１５の送信波長及び第１時刻情報のフォーマットは、ＷＷＶＢ、ＪＪＹ、ＢＰＣ及びＤＣＦのそれぞれで別個に設定されている。
【００２０】
図５は、日本の電波塔（ＪＪＹ）から放射される標準電波（ＪＪＹ）によって搬送される第１時刻情報のデータフォーマットを示す図である。図６（ａ）は、ドイツの電波塔（ＤＣＦ）から放射される標準電波（ＤＣＦ）によって搬送される第１時刻情報のデータフォーマットを示す図である。図６（ｂ）は、米国の電波塔（ＷＷＶＢ）から放射される標準電波（ＷＷＶＢ）によって搬送される第１時刻情報のデータフォーマットを示す図である。
【００２１】
それぞれの第１地域から放射される標準電波は、６０ビットのビット長を有し、１ビット当たり１秒ずつ放射され、６０ビットの全てを放射するために６０秒に亘って放射される。それぞれの第１地域から放射される標準電波のデータフォーマットは、地域により相違するものの、カレンダー情報、時、分の時刻情報、並びにサマータイムが施行中であるか否かを示すサマータイム施行情報等は、共通に含まれている。
【００２２】
電波時計１は、外装１１と、受信部１２と、入力部１３と、表示部１４と、電源部１５と、記憶部１６と、基準信号発生部１７と、処理部２０とを有し、時刻表示を行いたい第２地域が指定されている。電波時計１が指定している第２地域は、送信元の電波塔１０１が配置される第１地域が属するタイムゾーンと同一のタイムゾーンに属する地域であってもよく、第１地域が属するタイムゾーンと異なるダイムゾーンに属する地域であってもよい。外装１１は、金属等によって成る筐体であり、受信部１２、電源部１５、記憶部１６、基準信号発生部１７及び処理部２０等を収容する。
【００２３】
受信部１２は、受信アンテナ１２０と、同調回路１２１と、受信回路１２２とを有する。受信アンテナ１２０は、バーアンテナ等の超小型の受信アンテナであり、外装１１の内部の９時方向に配置される。受信アンテナ１２０の配置位置は、９時方向に限定されるものではなく、例えば１２時方向に配置されてもよく、電波時計１の内部の何れの場所に配置してもよい。同調回路１２１は、受信アンテナ１２０と共に同調回路を形成し、選択された周波数の標準電波を受信して同調信号Ｐ１０を出力する。受信回路１２２は、半導体回路であり、同調信号Ｐ１０が入力され、同調信号Ｐ１０をデジタル化した復調信号Ｐ１１を処理部２０に出力する。
【００２４】
入力部１３は、第１操作ボタン１３１と、第２操作ボタン１３２と、リューズ１３３と、入力操作部１３４とを有する。入力部１３は、ユーザによって、電波塔１０１が配置される第１地域におけるサマータイムの施行による第１オフセット時差等の情報、及び電波時計１により指定される第２地域におけるサマータイムの施行による第２オフセット時差等の情報が入力される。
【００２５】
第１操作ボタン１３１及び第２操作ボタン１３２は、押ボタンである。第１操作ボタン１３１が押下されたとき、第１スイッチＳ１がオンする。第１スイッチＳ１は、オンするときに信号レベルがＶｄｄである第１スイッチ信号Ｐ１を処理部２０に出力する。第２操作ボタン１３２が押下されたとき、第２スイッチＳ２がオンする。第２スイッチＳ２は、オンするときに信号レベルがＶｄｄである第２スイッチ信号Ｐ２を処理部２０に出力する。
【００２６】
リューズ１３３は、２段引きが可能であると共に、１２時方向及び６時方向に回転可能である。リューズ１３３が１段引きされたとき、第３スイッチＳ３がオンする。第３スイッチＳ３は、オンするときに信号レベルがＶｄｄである第３スイッチ信号Ｐ３を処理部２０に出力する。リューズ１３３が２段引きされたとき、第４スイッチＳ４がオンする。第４スイッチＳ４は、オンするときに信号レベルがＶｄｄである第４スイッチ信号Ｐ４を処理部２０に出力する。
【００２７】
リューズ１３３が１２時方向に回転されたとき、第５スイッチＳ５がオンする。第５スイッチＳ５は、オンするときに信号レベルがＶｄｄである第５スイッチ信号Ｐ５を処理部２０に出力する。リューズ１３３が６時方向に回転されたとき、第６スイッチＳ６がオンする。第６スイッチＳ６は、オンするときに信号レベルがＶｄｄである第６スイッチ信号Ｐ６を処理部２０に出力する。
【００２８】
入力操作部１３４は、第１操作ボタン１３１、第２操作ボタン１３２及びリューズ１３３のそれぞれの操作に応じた信号を処理部２０に出力する第１スイッチＳ１〜第６スイッチＳ６を有する。
【００２９】
表示部１４は、秒針１４１と、分針１４２と、時針１４３と、日付を表示する日付表示部１４４と、サブダイアル１４５とを有する。秒針１４１、分針１４２、時針１４３、日付表示部１４４及びサブダイアル１４５は、メイン表示１４０に配置される。サブダイアル１４５は、短針１４６と、長針１４７とを有し、電池の残量及び電波の受信状況等を表示する。また、サブダイアル１４５は、第１オフセット時差及び第２オフセット時差等を設定するときに設定情報が表示される。
【００３０】
サブダイアル１４５は、オフセット時差、及び電波塔１０１の種類（電波塔１０１が配置される地域）がアワーマークに対応して表示される。１時のアワーマークと２時のアワーマークとの間にはオフセット時差が１時間であることを示す「ＤＳＴ１．０」が表示され、２時のアワーマークの近傍にはオフセット時差が３０分であることを示す「ＤＳＴ０．５」が表示される。また、３時のアワーマークの近傍にはオフセット時差が０分であることを示す「ＤＳＴ０．０」が表示され、３時のアワーマークと４時のアワーマークとの間にはサマータイムが施行されていないことを示す「ＯＦＦ」が表示される。また、１０時のアワーマークの近傍にはオフセット時差が２時間であることを示す「ＤＳＴ２．０」が表示され、１０時のアワーマークと１１時のアワーマークとの間にはオフセット時差が１時間３０分であることを示す「ＤＳＴ１．５」が表示される。ここで、ＤＳＴは、daylight saving timeの略称であり、夏時間すなわちサマータイムを意味する。上述したオフセット時差はすべてプラスの時差として説明をしたが、マイナスの時差を含んでいてもよい。また、オフセット時差を最大で２４時間分まで設定できるように構成してもよく、オフセット時差は例えば０．２５（１５分）刻みに設定できる構成としてもよい。
【００３１】
４時のアワーマークの近傍にはドイツの電波塔１０１（ＤＣＦ）を示す「ＤＣＦ」が表示され、５時のアワーマークの近傍には中国の電波塔１０１（ＢＰＣ）を示す「ＢＰＣ」が表示される。また、６時のアワーマークの近傍には日本の電波塔１０１（ＪＪＹ）を示す「ＪＪＹ」が表示され、７時のアワーマークの近傍には米国の電波塔１０１（ＷＷＶＢ）を示す「ＷＷＶＢ」が表示される。すなわち、「ＤＣＦ」を指示した場合は電子時計１により指定されて受信する標準電波が標準電波（ＤＣＦ）であることを示し、「ＢＰＣ」を指示した場合は電子時計１により指定されて受信する標準電波が標準電波（ＢＰＣ）であることを示し、「ＪＪＹ」を指示した場合は電子時計１により指定されて受信する標準電波が標準電波（ＪＪＹ）であることを示し、「ＷＷＶＢ」を指示した場合は電子時計１により指定されて受信する標準電波が標準電波（ＷＷＶＢ）をであることを示していることになる。本実施形態における電波時計１では、オフセット時差の設定に使用されるオフセット時差の表示は、サブライアル１４５の上半分に配置され、オフセット時差の設定に使用される第１地域（各電波塔１０１）の表示は、サブダイアル１４５の下半分に配置される。言い換えると、サブダイアル１４５の指針軸を通り、サブダイアル１４５を二分した際の一方にオフセット時差の表示が配置され、他方に第１地域（電波塔）の表示が配置されている。
【００３２】
電源部１５は、一次電池又は太陽電池により充電される二次電池等の電池を有し、不図示の電源線を介して受信部１２、入力部１３、表示部１４、記憶部１６、基準信号発生部１７及び処理部２０に電源電圧を供給する。
【００３３】
記憶部１６は、半導体記憶装置であり、第１時差テーブル１６０と、第１オフセット時差テーブル１６１と、第２時差情報１６２と、第２オフセット時差情報１６３と、サマータイム情報テーブル１６４とを記憶する。
【００３４】
第１時差テーブル１６０は、電波塔１０１が配置される第１地域のそれぞれの地域の名称、及びそれぞれの地域の標準時刻と協定世界時（ＵＴＣ）との間の時差である第１時差を示す第１時差情報を、第１地域のそれぞれの地域を識別する地域識別子と関連付けて記憶する。日本の電波塔（ＪＪＹ）に対応する第１時差は＋９であり、米国の電波塔（ＷＷＶＢ）に対応する第１時差は−７であり、ドイツの電波塔（ＤＣＦ）に対応する第１時差は＋１であり、中国の電波塔（ＢＰＣ）に対応する第１時差は＋８である。
【００３５】
第１オフセット時差テーブル１６１は、電波塔が配置される第１地域のそれぞれの地域の名称、及びそれぞれの地域においてサマータイムが施行されるときに生じるオフセット時差である第１オフセット時差を、それぞれの地域を識別する地域識別子と関連付けて記憶する。
【００３６】
また、第１オフセット時差テーブル１６１は、サブダイアル１４５のアワーマークを、第１地域のそれぞれの地域を識別する地域識別子と関連付けて記憶する。電波塔（ＪＪＹ）は６時のアワーマークに関連付けられ、電波塔（ＷＷＶＢ）は７時のアワーマークに関連付けられ、電波塔（ＤＣＦ）は４時のアワーマークに関連付けられ、電波塔（ＢＰＣ）は５時のアワーマークに関連付けられる。
【００３７】
また、第１オフセット時差テーブル１６１は、現在設定されている電波塔１０１を示す使用中識別子をそれぞれの地域を識別する地域識別子と関連付けて記憶する。第１オフセット時差テーブル１６１は、例えば不揮発性メモリに記憶される。この場合、電子時計１の電源が落ちても（電子時計１の電池電圧が駆動下限電圧を下回っても）設定した情報が変化しないため、再駆動時に再び設定する必要がない。不揮発性メモリに記憶するタイミングは手動修正がされたときであってもよいし、毎日所定の時刻に記憶するように構成してもよい。
【００３８】
第２時差情報１６２は、電波時計１によって指定される第２地域の標準時刻と協定世界時との間の時差である第２時差を示す情報である。第２時差情報１６２は、ユーザによって入力部１３を介して入力される。第２地域は電波時計１が配置される又は位置する地域（現在位置）であってもよいし、現在位置とは異なる地域であってもよい。第２時差情報１６２は、第２地域の標準時刻と協定世界時との間の時差である第２時差である時間であってもよく、第２地域の標準時刻と協定世界時との間の時差である第２時差と関連付けられた国名又は都市名であってもよい。例えば、第２時差情報１６２は、時差＋９であってもよく、時差＋９に関連付けられた都市名東京であってもよい。また、第２時差情報１６２は、都市名東京の略称ＴＹＯであってもよい。
【００３９】
第２オフセット時差情報１６３は、電波時計１により指定される第２地域においてサマータイムが施行されるときに生じるオフセット時差である第２オフセット時差を示す情報である。第２オフセット時差情報１６３は、ユーザ又は外部装置等によって入力部１３や入力操作部１３４、図示しない外部通信インターフェースを介して入力される。
【００４０】
サマータイム情報テーブル１６４は、それぞれの地域の名称、及びそれぞれの地域がサマータイムを施行中であるか否かを示す情報、それぞれの地域を識別する地域識別子と関連付けて記憶する。サマータイム情報テーブル１６４は、第１地域においてサマータイムが施行中であるか否かを示す第１サマータイム施行情報、及び第２地域においてサマータイムが施行中であるか否かを示す第２サマータイム施行情報を含む。
【００４１】
基準信号発生部１７は、発振回路１７１と、分周回路１７２とを有する。発振回路１７１は、水晶振動子と水晶振動子に電流を供給する発振制御回路とを有し、水晶振動子の振動に基づいて所定の発振周波数を有する発振周波数信号を生成し、生成した発振周波数信号を分周回路１７２に出力する。分周回路１７２は、発振周波数信号を分周して所定の基準周波数を有する7を生成し、生成した基準周波数信号Ｐ１２を処理部２０に出力する。
【００４２】
処理部２０は、例えばＣＰＵであり、電波時計１の全体の動作を制御すると共に、第１時刻と協定世界時（ＵＴＣ）との時差、第１時刻情報のサマータイム施行による第１オフセット時差、第２時刻と協定世界時（ＵＴＣ）との時差、第２地域のサマータイム施行による第２オフセット時差、第１サマータイム施行情報、及び第２サマータイム施行情報に基づいて第２地域の時刻を演算する。
【００４３】
処理部２０は、第１時刻抽出部２１と、演算部２２と、計時部２３と、オフセット時差変更部２４と、制御部２５とを有する。これらの各部は、処理部２０が備えるプロセッサで実行されるプログラムにより実現される機能モジュールである。あるいは、これらの各部は、ファームウェアとして電波時計１に実装されてもよい。
【００４４】
第１時刻抽出部２１は、受信部１２が受信した標準電波（第１時刻情報）から、送信元の電波塔１０１が配置される第１地域の時刻である第１時刻を抽出する。第１時刻抽出部２１は、受信回路１２２から入力される復調信号Ｐ１１から第１時刻を取得し、取得した第１時刻を示す第１時刻データＰ１５を演算部２２に出力する。演算部２２は、第１時刻データＰ１５に対応する第１時刻と記憶部１６に記憶される第１時差テーブル１６０、第１オフセット時差テーブル１６１、第２時差情報１６２、第２オフセット時差情報１６３、及びサマータイム情報テーブル１６４に記憶される情報に基づいて、電波時計１により指定される第２地域の時刻である第２時刻を演算する。
【００４５】
演算部２２は、演算した第２時刻を示す第２時刻データＰ１６を計時部２３に出力する。計時部２３は、第２時刻データＰ１６に対応する第２時刻及び基準周波数信号Ｐ１２に対応する基準周波数に基づいて第２時刻を含む計時情報を生成し、生成した計時情報を示す計時信号Ｐ１３を表示部１４に出力する。表示部１４は、計時情報に応じて秒針１４１、分針１４２、時針１４３及び日付表示部１４４を順次移動する。
【００４６】
オフセット時差変更部２４は、ユーザの入力部１３の操作に応じて、第１オフセット時差テーブル１６１に記憶される情報及び第２オフセット時差情報１６３を一部又は全てを修正することを示すオフセット時差変更信号Ｐ１７を記憶部１６に出力する。制御部２５は、ユーザの入力部１３の操作に応じて、標準電波の受信開始を指示する受信開始信号Ｐ１８を、同調回路１２１及び受信回路１２２に出力する。また、制御部２５は、第１スイッチ信号Ｐ１〜第６スイッチ信号Ｐ６が入力操作部１３４から入力されることに応じて、電波時計１の時差設定動作、カレンダー・時刻修正・指針位置修正動作等の各動作モードに切り替える。また、制御部２５は、第２時刻の演算用のデータを取得する取得部として機能する。受信開始は手動操作による受信に限定されるものではなく、定刻になった時に自動で実施したり、所定の条件がそろった時に自動で実施する構成としてもよい。
【００４７】
（実施形態に係る電波時計によるオフセット時差設定処理）
図７（ａ）は第１オフセット時差を設定する第１オフセット時差設定処理のフローチャートであり、図７（ｂ）は第２オフセット時差を設定する第２オフセット時差設定処理のフローチャートである。図８（ａ）は第１オフセット時差設定処理におけるサブダイアル１４５の第１表示状態を示す図であり、図８（ｂ）は第１オフセット時差設定処理におけるサブダイアル１４５の第２表示状態を示す図である。図８（ｃ）は第１オフセット時差設定処理におけるサブダイアル１４５の第３表示状態を示す図である。図８（ｄ）は第２オフセット時差設定処理におけるサブダイアル１４５の第１表示状態を示す図であり、図８（ｅ）は第２オフセット時差設定処理におけるサブダイアル１４５の第２表示状態を示す図である。図７（ａ）に示す第１オフセット時差設定処理及び図７（ｂ）に示す第２オフセット時差設定処理は、予め記憶部１６に記憶されているプログラムに基づいて、主に処理部２０により電波時計１の各要素と協働して実行される。ここで、第１オフセット時差設定処理又は第２オフセット時差設定処理が行われる前のサブダイアルの短針１４６及び長針１４７の指示状態（表示状態）は、例えば図３に示すように電源部１５である電池の残量を指示した状態であるとする。
【００４８】
まず、第１オフセット時差設定処理では、オフセット時差変更部２４は、第１オフセット時差を変更することを示す第１オフセット時差変更指示を取得する（Ｓ１０１）。第１オフセット時差変更指示は、例えばユーザが第１操作ボタン１３１を長押（例えば約１０秒以上押し続ける）することにより入力される。第１操作ボタン１３１が押されることに応じて第１スイッチＳ１がオンし、さらに第１スイッチ信号Ｐ１が所定のしきい値時間以上に亘って制御部２５に入力される。制御部２５は、第１スイッチ信号Ｐ１が所定のしきい値時間（例えば、しきい値時間１０秒）以上に亘って入力されたときに、第１オフセット時差変更指示をオフセット時差変更部２４に出力する。なお、長押に応じて第１オフセット時差変更指示以外の指示が入力される等、長押が他の操作に対応する場合は、長押の代わりに超長押（例えば約３０秒以上押し続ける）することによって第１オフセット時差変更指示が入力されてもよい。
【００４９】
次いで、オフセット時差変更部２４は、第１オフセット時差テーブル１６１を参照して、現在設定されている電波塔１０１に関する情報である電波塔設定情報を抽出する（Ｓ１０２）。次いで、オフセット時差変更部２４は、Ｓ１０２の処理で抽出した電波塔設定情報を表示部１４に出力する（Ｓ１０３）。図８（ａ）に示す例では、第１オフセット時差設定処理が行われる前の図３の表示状態から、Ｓ１０１〜Ｓ１０３の処理により短針１４６及び長針１４７が時計回り（正転方向）又は反時計回り（逆転方向）に運針し、現在設定されている電波塔１０１がドイツの電波塔（ＤＣＦ）であることを長針１４７が「ＤＣＦ」を指示することで表示し、電波塔（ＤＣＦ）における第１オフセット時差が２時間であることを短針１４６が「ＤＳＴ２．０」を指示することで表示する。
【００５０】
次いで、オフセット時差変更部２４は、変更後の電波塔１０１が配置される地域に関する情報である電波塔変更情報を取得する（Ｓ１０４）。電波塔変更情報は、例えばユーザが第２操作ボタン１３２を押下することにより入力される。第２操作ボタン１３２が押下されることに応じて第２スイッチＳ２がオンし、電波塔１０１が配置される地域が時計回り（正転方向）又は反時計回り（逆転方向）に順次選択される。図８（ｂ）に示す例では、図８（ａ）の状態から第２操作ボタン１３２の操作に応じて長針１４７が時計回り（正転方向）又は反時計回り（逆転方向）に運針し、日本の電波塔（ＪＪＹ）を示す「ＪＪＹ」が指示され、電波塔（ＪＪＹ）に対応する第１オフセット時差が０時間（０分）であることを短針１４６が時計回り（正転方向）又は反時計回り（逆転方向）に運針して「ＤＳＴ０．０」を指示することで表示する。なお、送信元の電波塔１０１が変更されない場合は、長針１４７で指示されている電波塔１０１の情報を取得するようにしてもよいし、Ｓ１０４の処理を省略してもよい。
【００５１】
次いで、オフセット時差変更部２４は、第１オフセット時差を示す第１オフセット時差情報を取得する（Ｓ１０５）。第１オフセット時差情報は、例えばユーザがリューズ１３３を操作することにより入力される。リューズ１３３が操作されることに応じて第５スイッチＳ５又は第６スイッチＳ６がオンし、第１オフセット時差情報が選択される。図８（ｃ）に示す例では、図８（ｂ）の状態からリューズ１３３の操作に応じて短針１４６が時計回り（正転方向）又は反時計回り（逆転方向）に運針し、変更後の第１オフセット時差が１時間であることを示す「ＤＳＴ１．０」を指示することで表示する。Ｓ１０５の処理が終了した後、例えばユーザが第２操作ボタン１３２を短押することで、電波時計１は、第１オフセット時差を決定した後に、第１オフセット時差設定処理が終了し、第１オフセット時差設定処理が開始される前の通常モード（例えば図３の表示状態）に戻る。
【００５２】
また、第２オフセット時差設定処理では、オフセット時差変更部２４は、第２地域の第２オフセット時差を変更することを示す第２オフセット時差変更指示を取得する（Ｓ２０１）。第２オフセット時差変更指示は、例えばユーザがリューズ１３３を１段引きしたとき、第３スイッチＳ３がオンする。第３スイッチＳ３がオンすることに応じて、第２オフセット時差変更指示をオフセット時差変更部２４に出力する。ここで第２地域は第１操作ボタン１３１、第２操作ボタン１３２、リューズ１３３等の操作によりメイン表示１４０や外装１１に記載された都市又はタイムゾーンを選択し設定できるように構成してもよい。
【００５３】
また、リューズ１３３の操作に変えて第１操作ボタン１３１の操作に応じて第２オフセット時差変更指示を行ってもよい。例えばユーザが第１操作ボタン１３１を短押することにより入力される。第１操作ボタン１３１が短押されることに応じて第１スイッチＳ１がオンし、第１スイッチ信号Ｐ１が所定のしきい値時間未満に亘って制御部２５に入力される。制御部２５は、第１スイッチ信号Ｐ１が所定のしきい値時間未満に亘って入力されたときに、第２オフセット時差変更指示をオフセット時差変更部２４に出力する。所定のしきい値時間は例えば２秒としてもよい。
【００５４】
次いで、オフセット時差変更部２４は、第２オフセット時差情報１６３に対応する第２オフセット時差を取得する（Ｓ２０２）。次いで、オフセット時差変更部２４は、Ｓ２０２の処理で取得した第２オフセット時差を表示部１４に出力する（Ｓ２０３）。図８（ｄ）に示す例では、第１オフセット時差設定処理が行われる前の図３の表示状態から、Ｓ２０１〜Ｓ２０３の処理により短針１４６が時計回り（正転方向）又は反時計回り（逆転方向）に運針し、現在設定されている第２オフセット時差が１時間であることを示す「ＤＳＴ１．０」を指示することで表示する。このとき、長針１４７は運針せずに電池残量を指示する表示を行うように制御してもよい。
【００５５】
次いで、オフセット時差変更部２４は、変更後の第２オフセット時差を取得する（Ｓ２０４）。第２オフセット時差は、例えばユーザがリューズ１３３を操作することにより入力される。リューズ１３３が操作されることに応じて第５スイッチＳ５又は第６スイッチＳ６がオンし、第２オフセット時差情報が選択される。図８（ｅ）に示す例では、図８（ｄ）の状態からリューズ１３３の操作に応じて短針１４６が時計回り（正転方向）又は反時計回り（逆転方向）に運針し、変更後の第２オフセット時差が３０分であることを示す「ＤＳＴ０．５」を指示する表示をする。Ｓ２０４の処理が終了した後、例えばユーザがリューズ１３３を０段に押し込んだとき、第３スイッチＳ３がオフすることで、電波時計１は、第２オフセット時差を決定した後に、第２オフセット時差設定処理が終了し、第２オフセット時差設定処理が開始される前の通常モード（例えば図３の表示状態）に戻る。
【００５６】
第２時差情報１６２に対応する第２時差、及びサマータイム情報テーブル１６４に記憶されるサマータイムを施行中であるか否かを示す情報は、第１オフセット時差及び第２オフセット時差と同様に入力部１３を介して設定される。入力部１３を介して設定されるサマータイムを施行中であるか否かを示す情報は、「ＤＳＴ０．０」〜「ＤＳＴ２．０」のいずれかを指している場合はサマータイムを施行中であることを示し、「ＯＦＦ」を指しているときはサマータイムを施行していないことを示す。
【００５７】
（実施形態に係る電波時計による第２時刻演算処理）
図９（ａ）は、電波時計１が配置される第２地域の時刻である第２時刻を演算する第２時刻演算処理のフローチャートである。図９（ａ）に示す第２地域時刻演算処理は、予め記憶部１６に記憶されているプログラムに基づいて、主に処理部２０により電波時計１の各要素と協働して実行される。
【００５８】
まず、制御部２５は、第２時差情報を取得し（Ｓ３０１）、取得した第２時差情報に関連する、第１時差情報を選択する。次いで、オフセット時差変更部２４は、選択された第１時差情報に対応する第１オフセット時差を示す第１オフセット時差情報を取得し（Ｓ３０２）、取得した第１オフセット時差情報を第１オフセット時差テーブル１６１に格納する。次いで、オフセット時差変更部２４は、第２オフセット時差を示す第２オフセット時差情報を取得し（Ｓ３０３）、取得した第２オフセット時差情報を記憶部１６に第２オフセット時差情報１６３として格納する。制御部は、第２時差情報、第１オフセット時差情報及び第２オフセット時差情報のそれぞれを記憶部から取得してもよいし、予めＲＡＭ上に展開しておいてもよい。第１時差情報の選択については、標準電波を取得し、取得した標準電波に含まれるデータ列からどの電波塔１０１からの標準電波であるかを判別し、送信元の電波塔１０１に対応する第１時差情報を選択するように構成してもよい。
【００５９】
次いで、制御部２５は、同調回路１２１及び受信回路１２２に受信開始信号Ｐ１８を出力する（Ｓ３０４）。制御部２５は、ユーザによる入力部１３の操作に応じて受信開始信号Ｐ１８を出力してもよく、内部のタイマーによる受信開始命令に応じて受信開始信号Ｐ１８を出力してもよい。制御部２５は、内部のタイマーによる受信開始命令に応じて受信開始信号Ｐ１８を出力する。例えば午前２時に毎日１回、受信開始信号Ｐ１８を出力する構成としてもよい。また、制御部２５は、毎日１回出力するのではなく、３日に１回など任意の間隔で受信開始信号Ｐ１８を出力するように構成してもよい。受信回路１２２は、受信開始信号Ｐ１８が入力されることに応じて同調信号Ｐ１０の増幅及び検波を開始し、同調信号Ｐ１０をデジタル化した復調信号Ｐ１１を第１時刻抽出部２１に出力する。
【００６０】
次いで、第１時刻抽出部２１は、受信回路１２２から入力された復調信号Ｐ１１を所定の解読アルゴリズムに従って解読し、第１時刻情報を抽出する（Ｓ３０５）。第１時刻情報は、標準電波１１５の送信元の電波塔１０１が配置される第１地域の基準時、第１地域においてサマータイムが施行されているか否かを示す第１サマータイム情報を含む。また、第１時刻抽出部２１は、第１時刻情報のフォーマットから、電波塔１０１がどの地域に配置された電波塔１０１であるかを推定する。第１時刻抽出部２１は、推定した電波塔の種類、取得した第１時刻情報を示す第１時刻データＰ１５を演算部２２に出力する。
【００６１】
次いで、制御部２５は、第２時刻の演算用の情報を取得する（Ｓ３０６）。制御部２５は、第１時差テーブル１６０に記憶される第１時差、第１オフセット時差テーブル１６１に記憶される第１オフセット時差、第２時差情報１６２に対応する第２時差、第２オフセット時差情報に対応する第２オフセット時差を記憶部から取得する。また、制御部２５は、第１地域においてサマータイムが施行中であるか否かを示す第１サマータイム施行情報、及び第２地域においてサマータイムが施行中であるか否かを示す第２サマータイム施行情報をサマータイム情報テーブル１６４から取得する。
【００６２】
次いで、演算部２２は、第１時刻データＰ１５及び記憶部１６に記憶される各情報に基づいて、協定世界時（ＵＴＣ）を算出し、協定世界時（ＵＴＣ）から電波時計１が配置される第２地域の時刻を演算する（Ｓ３０７）。演算部２２は、演算した第２地域の時刻を示す第２時刻データを計時部２３に出力する。
【００６３】
次いで、計時部２３は、第２時刻データＰ１６に対応する第２時刻及び基準周波数信号Ｐ１２に対応する基準周波数に基づいて第２時刻を含む計時情報を生成する（Ｓ３０８）。そして、計時部２３は、生成した計時情報を示す計時信号Ｐ１３を表示部１４に出力する（Ｓ３０９）。
【００６４】
図９（ｂ）は、Ｓ３０７の処理のより詳細な処理を示すフローチャートである。
【００６５】
まず、演算部２２は、受信した第１時刻情報に含まれる第１サマータイム情報に基づいて第１地域においてサマータイムが施行されているか否かを判定する（Ｓ４０１）。演算部２２は、第１時刻情報においてサマータイムが施行されてないと判定する（Ｓ４０１−ＮＯ）と、第１オフセット時差を使用せずに、第１時刻情報に含まれる第１時刻から第１時差テーブル１６０に記憶される第１時差を減算して協定世界時（ＵＴＣ）を演算する（Ｓ４０２）。
【００６６】
一方、演算部２２は、第１時刻情報においてサマータイムが施行されていると判定する（Ｓ４０１−ＹＥＳ）と、第１オフセット時差を使用して、協定世界時（ＵＴＣ）を演算する（Ｓ４０３）。詳しくは、演算部２２は、第１時差テーブル１６０に記憶される第１時差と第１オフセット時差テーブル１６１に記憶される第１オフセット時差との合算値を第１時刻から減算して協定世界時（ＵＴＣ）を演算する（Ｓ４０３）。演算処理としては、合算値を減算するのではなく、第１時差と第１オフセット時差を順に減算してもよいし、減算する順番はどちらかが先でもよい。
【００６７】
次いで、演算部２２は、サマータイム情報テーブル１６４を参照して、第２地域においてサマータイムが施行されているか否かを判定する（Ｓ４０４）。演算部２２は、第２地域においてサマータイムが施行されてないと判定する（Ｓ４０４−ＮＯ）と、第２オフセット時差を使用せずに、第２時刻を演算する（Ｓ４０５）。演算部２２は、Ｓ４０２又はＳ４０３の処理で演算された協定世界時（ＵＴＣ）に、第２時差情報１６２に対応する第２時差を加算して第２時刻を演算する。
【００６８】
一方、演算部２２は、第２地域においてサマータイムが施行されていると判定する（Ｓ４０４−ＹＥＳ）と、第２オフセット時差を使用して、第２時刻を演算する（Ｓ４０６）。演算部２２は、Ｓ４０２又はＳ４０３の処理で演算された協定世界時（ＵＴＣ）に、第２時差情報１６２に対応する第２時差と第２オフセット時差情報１６３に対応する第２オフセット時差との合算値を加算して第２時刻を演算する。演算処理としては、合算値を加算するのではなく、第２時差と第２オフセット時差を順に加算してもよいし、加算する順番はどちらかが先でもよい。また、Ｓ４０４の処理を行う前に第２時差を加算して、Ｓ４０４の処理において第２地域においてサマータイムが施行されてないと判定された場合（Ｓ４０４−ＮＯ）は、第２オフセット時差が０として演算するか演算処理を行わずに第２時刻として出力（Ｓ４０５）し、第２地域においてサマータイムが施行されていると判定された場合（Ｓ４０４−ＹＥＳ）は、第２オフセット時差の加算処理のみを行って、第２時刻を演算してもよい（Ｓ４０６）。
【００６９】
図１０〜１３は、送信元の電波塔１０１が第１地域としてドイツ（ＤＣＦ）に配置され、電波時計１が第２地域としてアテネの時刻を示す場合を例に第２時刻演算処理を説明するための図である。ここで、電波塔１０１が配置されるドイツ（ＤＣＦ）の協定世界時との時差（第１時差）は１時間であり、アテネの協定世界時との時差（第２時差）は２時間である。また、ドイツの電波塔１０１がウィンタータイム（サマータイムを施行していない期間）における１時００分（つまり協定世界時（ＵＴＣ）における０時００分）を第１時刻情報として標準電波を放射したときの電子時計１における表示時刻を例にとって説明を行う。また、ドイツの電波塔１０１（ＤＣＦ）が放射する時刻情報がサマータイムの施行中であるかどうかの情報は、第１サマータイム施行情報とし、アテネでサマータイムが施行中であるかどうかの情報は、第２サマータイム施行情報とする。
【００７０】
図１０は、電波塔（ＤＣＦ）及びアテネの双方でサマータイムが施行されていない場合を示す。図１１は電波塔（ＤＣＦ）及びアテネの双方でサマータイムが施行され、電波塔（ＤＣＦ）のサマータイムによるオフセット時差が１時間である場合を示し、図１２は電波塔（ＤＣＦ）及びアテネの双方でサマータイムが施行され、電波塔（ＤＣＦ）のサマータイムによるオフセット時差が２時間である場合を示し、図１３は、図１２の比較例として電子時計１における第１オフセット時差が従来の構成通り１時間に固定されている場合を示す。
【００７１】
図１１において、ドイツの電波塔１０１（ＤＣＦ）におけるサマータイムによるオフセット時差である第１オフセット時差は１時間であり、アテネにおけるサマータイムによるオフセット時差である第２オフセット時差は１時間である。
【００７２】
一方、図１２において、アテネにおけるサマータイムによるオフセット時差である第２オフセット時差は１時間と同じであるが、ドイツの電波塔１０１（ＤＣＦ）におけるサマータイムによるオフセット時差である第１オフセット時差は変更があり２時間になったものとする。
【００７３】
図１０に示すように、ドイツの電波塔１０１（ＤＣＦ）及びアテネの双方でサマータイムが施行されていないとき、演算部２２は、ドイツの電波塔１０１（ＤＣＦ）の標準時刻１時００分（１：００）からドイツの標準時刻と協定世界時（ＵＴＣ）との間の時差１時間を減算して０時００分（０：００）と演算する。次いで、ドイツの電波塔１０１（ＤＣＦ）のサマータイムによるオフセット時差（電波送信時刻のオフセット）の演算を行い協定世界時（ＵＴＣ）の算出を行うが、第１サマータイム情報から電波塔１０１（ＤＣＦ）のサマータイムは施行されていないため、０時間を演算して協定世界時（ＵＴＣ）を０時００分（０：００）と演算する。次いで、演算部２２は、協定世界時（ＵＴＣ）０時００分（０：００）に、アテネの標準時刻と協定世界時（ＵＴＣ）との間の時差２時間を加算してアテネの時刻を２時００分（２：００）と演算する。次いで、アテネのサマータイムによるオフセット時差（アテネのサマーオフセット）の演算を行いアテネの表示時刻の算出を行うが、第２サマータイム情報からアテネのサマータイムは施行されていないため、０時間を演算してアテネの表示時刻を２時００分（２：００）と演算する。ここで、ドイツの電波塔１０１（ＤＣＦ）は、厳密には１分後の時刻を電波に乗せて送信しているが、本実施形態では１分後の記載を省略している。
【００７４】
図１１に示すように、サマータイムを施行しているときは、ドイツの電波塔１０１（ＤＣＦ）は、標準時刻１時００分（１：００）にサマータイムのオフセット時差１時間が加算された標準時刻２時００分（２：００）を示す第１時刻情報を標準電波として放射する。そして、ドイツの電波塔１０１（ＤＣＦ）のオフセット時差が１時間であり、アテネのサマータイムによるオフセット時差が１時間であるとき、演算部２２はまず、ドイツの電波塔１０１（ＤＣＦ）のサマータイムによるオフセット時差を使用して協定世界時（ＵＴＣ）を演算する。具体的には演算部２２は、ドイツの電波塔１０１（ＤＣＦ）の標準時刻２時００分（２：００）からドイツの標準時刻と協定世界時（ＵＴＣ）との間の時差（ドイツとＵＴＣの差）１時間を減算して１時００分（１：００）と演算する。次いで、演算部２２は、ドイツの電波塔１０１（ＤＣＦ）のサマータイムによるオフセット時差（電波送信時刻のオフセット）１時間を減算して協定世界時（ＵＴＣ）を０時００分（０：００）と演算する。次いで、演算部２２は、アテネのサマータイムによるオフセット時差を使用してアテネの時刻を演算する。具体的には、演算部２２は、先に演算された協定世界時（ＵＴＣ）０時００分（０：００）に、アテネのサマータイムを施行していないときの標準時刻と協定世界時（ＵＴＣ）との間の時差２時間を加算して２時００分（２：００）と演算する。次いで、アテネのサマータイムによるオフセット時差（アテネのサマーオフセット）１時間を加算してアテネの表示時刻を３時００分（３：００）と演算する。
【００７５】
図１２に示すように、ドイツの電波塔１０１（ＤＣＦ）のサマータイムによるオフセット時差が２時間に変更されたとき、ドイツの電波塔１０１（ＤＣＦ）は、標準時刻１時００分（１：００）にサマータイムのオフセット時差２時間が加算された標準時刻３時００分（３：００）を示す第１時刻情報を標準電波として放射する。第１オフセット時差は、上述された第１オフセット時差設定処理によりドイツの電波塔１０１（ＤＣＦ）におけるオフセット時差が１時間（ＤＳＴ１．０）から２時間（ＤＳＴ２．０）に変更されている。演算部２２は、ドイツの電波塔１０１（ＤＣＦ）のサマータイムによるオフセット時差を使用して協定世界時（ＵＴＣ）を演算する。具体的には、演算部２２は、ドイツの電波塔１０１（ＤＣＦ）の標準時刻３時００分（３：００）からドイツの電波塔１０１（ＤＣＦ）のサマータイムを施行していないときの標準時刻と協定世界時（ＵＴＣ）との間の第１時差（ドイツとＵＴＣの差）である時差１時間を減算して２時００分（２：００）と演算する。次いで、ドイツの電波塔１０１（ＤＣＦ）のサマータイムによるオフセット時差（電波送信時刻のオフセット）２時間を減算して協定世界時（ＵＴＣ）を０時００分（０：００）と演算する。次いで、演算部２２は、アテネのサマータイムによるオフセット時差を使用してアテネの時刻を演算する。演算部２２は、協定世界時（ＵＴＣ）０時００分（０：００）に、アテネのサマータイムを施行していないときの標準時刻と協定世界時（ＵＴＣ）との間の時差２時間を加算して２時００分（２：００）と演算する。次いで、アテネのサマータイムによるオフセット時差(アテネのサマーオフセット)１時間を加算してアテネの表示時刻を３時００分（３：００）と演算する。
【００７６】
本発明の一実施形態である図１２との比較例として、電子時計における第１オフセット時差の設定変更ができず、従来の構成通り１時間に固定されている場合について、図１３を用いて説明する。電波塔１０１は、標準時刻１時００分（１：００）にサマータイムのオフセット時差２時間が加算された標準時刻３時００分（３：００）を示す第１時刻情報を標準電波として放射する。しかし、電子時計における電波時計１０１のサマータイムによるオフセット時差（電波送信時刻のオフセット）は１時間として固定されているため、ドイツの電波塔１０１（ＤＣＦ）のサマータイムを施行していないときの標準時刻と協定世界時（ＵＴＣ）との間の第１時差（ドイツとＵＴＣの差）である時差１時間を減算して２時００分（２：００）と演算し、次いで、ドイツの電波塔１０１（ＤＣＦ）のサマータイムによるオフセット時差（電波送信時刻のオフセット）として設定されている１時間を減算するため、協定世界時（ＵＴＣ）が１時００分（１：００）であると誤って演算される。そして、第２地域の時刻算出は、この誤った協定世界時（ＵＴＣ）に、アテネのサマータイムを施行していないときの標準時刻と協定世界時（ＵＴＣ）との間の時差２時間を加算して３時００分（３：００）と演算し、次いで、アテネのサマータイムによるオフセット時差（アテネのサマーオフセット）１時間を加算するため、アテネの表示時刻は４時００分（４：００）と誤った時刻に演算されてしまう。
【００７７】
上述の協定世界時（ＵＴＣ）の算出について、理解を容易にするために電波塔１０１（ＤＣＦ）のサマータイムを施行していないときの標準時刻と協定世界時（ＵＴＣ）との間の第１時差（ドイツとＵＴＣの差）と、ドイツの電波塔１０１（ＤＣＦ）のサマータイムによるオフセット時差（電波送信時刻のオフセット）を順に減算するとして説明を行ったが、演算順は逆でもよいし、両者（第１時差と第１オフセット時差）を合算したものを標準時刻から減算して協定世界時（ＵＴＣ）を演算するようにしてもよい。
【００７８】
同様に、第２地域であるアテネの表示時刻の算出について、理解を容易にするためにアテネのサマータイムを施行していないときの標準時刻と協定世界時（ＵＴＣ）との間の第２時差（アテネとＵＴＣの差）と、アテネのサマータイムによるオフセット時差（アテネのサマーオフセット）を順に加算するとして説明を行ったが、演算順は逆でもよいし、両者（第２時差と第２オフセット時差）を合算したものを協定世界時（ＵＴＣ）から加算して第２地域の表示時刻を演算するようにしてもよい。
【００７９】
（実施形態に係る電波時計の作用効果）
電波時計１は、入力部を介して入力されたサマータイムの施行によるオフセット時差を使用して第２地域の時刻を演算するので、オフセット時差が固定時間でない場合にも第２時刻を正確に演算できる。
【００８０】
電波時計１は、標準電波を送信する電波塔が配置される第１地域においてサマータイムが施行されているときに、第１地域におけるサマータイムの施行による第１オフセット時差に基づいて第２時刻を演算する。電波時計１は、第１地域においてサマータイムが施行されているときに、第１オフセット時差に基づいて第２時刻を演算するので、第１地域におけるサマータイムの施行による第１オフセット時差が固定時間でない場合にも第２時刻を正確に演算できる。
【００８１】
電波時計１は、電波時計１が配置される第２地域においてサマータイムが施行されているときに、第２地域におけるサマータイムの施行による第２オフセット時差に基づいて第２時刻を演算する。電波時計１は、第２地域においてサマータイムが施行されているときに、第２オフセット時差に基づいて第２時刻を演算するので、第２地域におけるサマータイムの施行による第２オフセット時差が固定時間でない場合にも第２時刻を正確に演算できる。
【００８２】
電波時計１は、電波塔が配置される第１地域の第１オフセット時差と、電波時計１が配置される第２地域の第２オフセット時差と別個に設定できるので、第１地域と第２地域との間でオフセット時差が相違する場合でも正確に時刻を設定できる。
【００８３】
例えば、電波塔が配置される第１地域が日本であるとき、第１地域を示すＪＪＹと第２地域を示すＴＹＯを連動させたとき、第２地域を示すＴＹＯは、日本のみを含むのではなく同じタイムゾーンに属した他の国を含む。さらに他の国でＪＪＹの電波が受信可能な場合、時刻が正確に設定できない可能性がある。例えば韓国が挙げられる。日本と韓国との間でサマータイムによるオフセット時差が相違した場合、第１地域を示すＪＪＹと第２地域を示すＴＹＯを連動させた場合、韓国の時刻を正確に設定できないおそれがある。電波時計１は、電波塔が配置される日本のオフセット時差と、電波時計１が配置される韓国のオフセット時差と別個に設定できるので、日本と韓国との間でサマータイムによるオフセット時差が相違した場合でも韓国の時刻を正確に設定できる。
【００８４】
また、電波時計１では、オフセット時差の設定に使用されるオフセット時差の表示は、サブダイアル１４５の上半分に配置されるので、オフセット時差を設定するときの指針の動作範囲を最小限にすることができる。また、電波時計１では、オフセット時差の設定に使用される第１地域（電波塔）の表示は、サブダイアル１４５の下半分に配置されるので、第１地域（電波塔）の設定を変更するときの指針の動作範囲を最小限にすることができる。
【００８５】
（実施形態に係る電波時計の変形例）
電波時計１では、第１オフセット時差及び第２オフセット時差は、入力部１３を介して入力されるが、実施形態に係る電波時計では、第１オフセット時差及び第２オフセット時差は、専用のインタフェース部を介して入力されてもよい。
【００８６】
図１４は、第１変形例に係る電波時計の機能ブロック図である。
【００８７】
電波時計２は、インタフェース部１８を有することが電波時計１と相違する。インタフェース部１８以外の電波時計２の構成要素の構成及び機能は、同一符号が付された電波時計１の構成要素の構成及び機能と同一なので、ここでは詳細な説明は省略する。
【００８８】
インタフェース部１８は、記憶部１６に記憶する情報が入力可能な複数の端子を有し、例えば電波時計２を製造する製造工場等において、第１オフセット時差及び第２オフセット時差を含む種々の情報を記憶部１６に書き込むことにより一括設定する。
【００８９】
なお、電波時計２では、インタフェース部１８は、記憶部１６に記憶する情報が入力可能な複数の端子を有するが、実施形態に係る電波時計では、インタフェース部はコンピュータと通信可能な通信インタフェース回路であってもよい。例えば、インタフェース部は、ＵＳＢ等の有線通信が可能なインタフェース回路であってもよく、Ｂｌｕｅｔｏｏｔｈ（登録商標）及びＷｉ−Ｆｉ（登録商標）等の無線信が可能なインタフェース回路であってもよい。インタフェース部は電子装置と通信可能な通信インタフェース回路であるとき、ユーザはコンピュータと電波時計との間を通信することで、第１オフセット時差及び第２オフセット時差を含む種々の情報を一括設定できる。
【００９０】
また、電波時計１では、第１オフセット時差及び第２オフセット時差は、サブダイアル１４５を介して設定されるが、実施形態に係る電波時計では、秒針１４１、分針１４２及び時針１４３が配置されるメイン表示を介して設定されてもよい。
【００９１】
図１５は、第２変形例に係る電波時計の平面図である。
【００９２】
電波時計３は、表示部３４を表示部１４の代わりに有することが電波時計１と相違する。表示部３４以外の電波時計３の構成要素の構成及び機能は、同一符号が付された電波時計１の構成要素の構成及び機能と同一なので、ここでは詳細な説明は省略する。
【００９３】
表示部３４は、秒針１４１と、分針１４２と、時針１４３と、日付表示部１４４と有し、メイン表示３４０に配置される。
【００９４】
メイン表示３４０は、サブダイアル１４５と同様に、オフセット時差、及び電波塔１０１が配置される国がアワーマークに対応して表示される。電波時計３では、第１オフセット時差及び第２オフセット時差は、メイン表示３４０に配置される秒針１４１、分針１４２及び時針１４３を使用して設定される。
【００９５】
また、電波時計１では、第１オフセット時差及び第２オフセット時差は、３０分から２時間までのプラスの時間として設定されるが、実施形態に係る電波時計では、第１オフセット時差及び第２オフセット時差は、マイナスの時間として設定されてもよい。
【００９６】
また、電波時計１では、第１オフセット時差は、入力部１３を介して手動で設定されるが、実施形態に係る電波時計では、第１オフセット時差は、自動的に設定されてもよい。例えば、標準電波１１５によって搬送される情報に含まれる時刻がサマータイムによるオフセット時差を反映した時刻である場合、サマータイム開始前後に搬送された時刻から、第１オフセット時差を推定してもよい。一例では、サマータイム開始前の時刻を取得してからの経過時間をカウントして、サマータイム開始後の時間が１１時であり、カウントされた時刻が９時であったときに受信を開始し、受信したサマー情報がＯＮであり、かつ受信時刻が１１時であった場合、受信時刻と計時時刻との時差である２時間を第１オフセット時差として推定する。サマータイム実施期間でのみ第１オフセット時差を自動で設定可能としてもよい。逆に、サマータイムＯＮからサマータイムＯＦＦに変化した時の状況から第１オフセット時差を自動で設定可能としてもよい。
【００９７】
また、電波時計１では、オフセット時差の設定に使用されるオフセット時差の表示は、メイン表示３４０の上半分に配置されるが、実施形態に係る電波時計では、オフセット時差の表示は、メイン表示３４０の下半分に表示されてもよい。また、実施形態に係る電波時計では、オフセット時差の表示は、メイン表示３４０の右半分に表示されてもよく、メイン表示３４０の左半分に表示されてもよい。なお、電池の残量及び電波の受信状況等の表示は、オフセット時差の表示が配置される領域及びオフセット時差の表示が配置されない領域に亘って配置されてもよい。
【００９８】
また、電波時計１では、オフセット時差の設定に使用される第１地域の表示は、メイン表示３４０の下半分に配置されるが、実施形態に係る電波時計では、オフセット時差の表示は、メイン表示３４０の上半分に表示されてもよい。また、実施形態に係る電波時計では、第１地域の表示は、メイン表示３４０の右半分に表示されてもよく、メイン表示３４０の左半分に表示されてもよい。
【００９９】
また、電波時計１では、サマータイムを施行中であるか否かを示す情報はサマータイム情報テーブル１６４に記憶されるが、実施形態に係る電波時計では、サマータイムを施行中であるか否かを示す情報はカレンダー情報として記憶されてもよい。例えば、サマータイムを施行中であるか否かを示す情報は、サマータイムの施行の開始日及び終了日としてそれぞれの地域を識別する地域識別子と関連付けて記憶されてもよい。サマータイムの施行の開始日及び終了日は、入力部１３等を介して設定可能であってもよい。サマータイムを施行中であるか否かを示す情報をカレンダー情報として記憶することで、標準電波１１５によって搬送されるサマータイム施行情報がサマータイムを施行中であるか否かを示すにかかわらず、サマータイムの施行の有無を確実に判定できる。
【０１００】
また、電波時計１では、標準電波１１５を受信するタイミングは限定されていないが、実施形態に係る電波時計では、標準電波１１５を受信するタイミングは種々のタイミングに設定可能である。実施形態に係る電波時計では、標準電波１１５を受信するタイミングは、例えば、協定世界時（ＵＴＣ）を基準として設定されてもよく、サマータイムが施行される期間とサマータイムが施行されない期間とで異なるタイミングとなるように設定されてもよい。サマータイムが施行される期間とサマータイムが施行されない期間とで異なるタイミングとなるように設定することで、標準電波１１５を受信の多発及び標準電波１１５の不受信等の不具合が発生するおそれを低くすることができる。
【０１０１】
また、標準電波１１５によって搬送される情報がサマータイムの開始及び終了の予告を示す情報を含む場合には、実施形態に係る電波時計は、標準電波１１５を受信する頻度を高くしてもよい。例えば、電波時計が標準電波１１５を２時に受信するように設定されている場合、実施形態に係る電波時計は、サマータイムの開始及び終了の予告を示す情報を受信した後の一定期間に亘って標準電波１１５を２時及び４時の２回受信してもよい。ここで、標準電波１１５を２時及び４時の２回受信する期間は、所定の日数であってもよく、サマータイムの施行の開始及び終了を示す情報を受信するまでの期間であってもよい。
【０１０２】
また、標準電波を受信する受信機能の他に、衛星からの電波を受信する機能を有する時計において、第１地域や第２地域を判別するのに測位受信を行うことで判別してもよい。そうすることで自動的に第１地域や第２地域を判別することができる。
【０１０３】
時計以外の端末機器との間で通信を実施して第１地域や第２地域を判別するようにしてもよい。その場合、第２地域におけるサマータイムオフセットやサマータイム実施期間を取得するようにしてもよい。
【符号の説明】
【０１０４】
１〜３    電波時計
１２    受信部
１３    入力部
１４    表示部
２０    処理部
２２    演算部
２５    制御部（取得部）
１００    電波時計システム
１０１    電波塔
【図１】
2020056661.tif 000003
【図２】
2020056661.tif 000004
【図３】
2020056661.tif 000005
【図４】
2020056661.tif 000006
【図５】
2020056661.tif 000007
【図６】
2020056661.tif 000008
【図７】
2020056661.tif 000009
【図８】
2020056661.tif 000010
【図９】
2020056661.tif 000011
【図１０】
2020056661.tif 000012
【図１１】
2020056661.tif 000013
【図１２】
2020056661.tif 000014
【図１３】
2020056661.tif 000015
【図１４】
2020056661.tif 000016
【図１５】
2020056661.tif 000017